(57)【要約】【課題】受信者側における検索容易性及び情報付加機能に優れているとともに、送信者側においてはリアルタイムに情報改変を行うことができ、さらに受信者側と送信者側の双方において保管スペースを節約することができる情報交換システムの提供を目的とする。【解決手段】本発明は、携帯端末に内蔵される非接触ＩＣチップと近距離無線通信を行うことのできる携帯用リーダライタと、この携帯用リーダライタと非接触ＩＣチップとの近距離無線通信に基づき、携帯端末と通信ネットワークで接続されるサーバとを備える情報交換システムであって、サーバが、携帯用リーダライタと非接触ＩＣチップとの近距離無線通信により、携帯用リーダライタが有するＩＤと非接触ＩＣチップが有するＩＤとを関連付けて受信するＩＤ受信手段を有し、受信したＩＤに基づいて送信者情報を受信者に送信・閲覧させることのできる情報交換システムである。【選択図】図１
2011022636.tif 000002
【特許請求の範囲】
【請求項１】
携帯端末に内蔵される非接触ＩＣチップと近距離無線通信を行うことのできる携帯用リーダライタと、
この携帯端末と通信ネットワークで接続されるサーバと
を備える情報交換システムにおいて、
上記携帯用リーダライタが、
非接触ＩＣチップとの近距離無線通信によりこの非接触ＩＣチップＩＤを受信する非接触ＩＣチップ受信手段と、
受信した非接触ＩＣチップＩＤ及びリーダライタＩＤを関連付けて非接触ＩＣチップに送信するＩＣチップ送信手段とを有し、
上記サーバが、
関連付けられた上記リーダライタＩＤ及び非接触ＩＣチップＩＤを携帯端末から受信するＩＤ受信手段と、
上記非接触ＩＣチップＩＤ及びリーダライタＩＤの初回受信時にこれらのＩＤを親ＩＤとして登録する親ＩＤ登録手段と、
親ＩＤに係るリーダライタＩＤ及び非接触ＩＣチップＩＤを受信した場合に、この携帯端末にメニュー画面及びこれを介する他の画面を表示させる第一のメニュー画面等表示手段と、
このメニュー画面を介して表示されるプロフィール登録画面における入力及び送信操作に起因して、携帯端末から受信したユーザ情報を保存する第一の情報保存手段と、
上記親ＩＤに係るリーダライタＩＤ及び親以外の携帯端末に係る非接触ＩＣチップＩＤを受信した場合に、この携帯端末にこのリーダライタＩＤに係るユーザ情報を表示させる第一の情報表示手段と
を有する情報交換システム。
【請求項２】
上記サーバが、
上記メニュー画面を介して表示されるプロフィール登録画面における入力及び送信操作に起因して、ユーザ情報を変更し上書き保存する情報変更手段を有する請求項１に記載の情報交換システム。
【請求項３】
親ＩＤに係るリーダライタＩＤ以外のリーダライタＩＤ及び親ＩＤに係る非接触ＩＣチップＩＤを受信した場合、
上記サーバが、
親ＩＤに係る非接触ＩＣチップＩＤ及びこの親ＩＤに係る非接触ＩＣチップＩＤ以外の非接触ＩＣチップＩＤと親ＩＤ登録手段により関連付けられたリーダライタＩＤを子ＩＤとして関連付けて登録する第一の子ＩＤ登録手段と、
上記メニュー画面における選択及び送信操作に起因して、子ＩＤとして登録されているリーダライタＩＤに係るユーザ情報を閲覧させる第一の情報閲覧手段とを有する請求項１又は請求項２に記載の情報交換システム。
【請求項４】
上記サーバが、
上記親ＩＤ登録手段及び／又は子ＩＤ登録手段によって登録されたリーダライタＩＤと未登録の非接触ＩＣチップＩＤとを受信することによりこの非接触ＩＣチップに係る携帯端末にこのリーダライタＩＤに係るユーザ情報を表示させ、これによって表示される画面を介して、この非接触ＩＣチップＩＤを親ＩＤとして登録する第二の親ＩＤ登録手段と、
この非接触ＩＣチップＩＤと共に受信したリーダライタＩＤを、この非接触ＩＣチップＩＤと関連付けて登録するリーダライタＩＤ登録手段と、
この非接触ＩＣチップに係る携帯端末からのパスワードを受信して、この携帯端末からの利用を許可するログイン手段と、
上記ログイン手段によって利用が許可された携帯端末に、メニュー画面及びこれを介する他の画面を表示させる第二のメニュー画面等表示手段と、
このメニュー画面を介して表示されるプロフィール登録画面における入力及び送信操作に起因して、携帯端末から受信したユーザ情報を保存する第二の情報保存手段と、
このメニュー画面における選択及び送信操作に起因して、上記リーダライタＩＤ登録手段によってこの非接触ＩＣチップと関連付けられて登録されているリーダライタＩＤに係るユーザ情報を閲覧させる第二の情報閲覧手段とを有する請求項１、請求項２又は請求項３に記載の情報交換システム。
【請求項５】
上記サーバが、
上記第二の親ＩＤ登録手段によって登録されている非接触ＩＣチップＩＤ及び未登録のリーダライタＩＤを受信した場合に、このリーダライタＩＤを親ＩＤとして登録する第三の親ＩＤ登録手段と、
上記リーダライタＩＤ登録手段によって登録されているリーダライタＩＤを、上記第三の親ＩＤ登録後に子ＩＤとして登録する第二の子ＩＤ登録手段と
を有する請求項４に記載の情報交換システム。
【請求項６】
上記サーバが、
１又は複数の携帯用リーダライタに対応することのできる会員番号を付与する会員番号付与手段と、
上記第一又は第三の親ＩＤ登録手段において、この会員番号とリーダライタＩＤとを非接触ＩＣチップＩＤに関連付けて登録する第四の親ＩＤ登録手段と、
会員番号と関連付けられたこのリーダライタＩＤ及び未登録の非接触ＩＣチップＩＤを受信した場合に、この非接触ＩＣチップＩＤに係る携帯端末にこのリーダライタＩＤに係るユーザ情報を表示させ、これによって表示される画面を介して、この非接触ＩＣチップＩＤを親ＩＤとして登録する第五の親ＩＤ登録手段とを有する請求項１から請求項５のいずれか１項に記載の情報交換システム。
【請求項７】
上記サーバが、
親ＩＤに係るリーダライタＩＤが関連付けられて登録されている、親以外の非接触ＩＣチップＩＤに係るユーザ情報を表示する第二の情報表示手段を有する請求項１から請求項６のいずれか１項に記載の情報交換システム。
【請求項８】
上記サーバが、
親ＩＤに係るユーザと、この親ＩＤと関連付けられて登録されている親以外のリーダライタＩＤ及び／又は親以外の非接触ＩＣチップＩＤに係るユーザとのメッセージ送受信手段を有する請求項１から請求項７のいずれか１項に記載の情報交換システム。
【請求項９】
上記サーバが、
メニュー画面を介して表示されるプロフィール画面に２次元コードを表示する２次元コード表示手段と、
この２次元コードを読み取った携帯端末に、この読取りによって表示されるプロフィール画面を介してパスワードの設定を行わせるパスワード設定手段と、
このパスワードの受信を経てこの携帯端末にメニュー画面及びこれを介する他の画面を表示させる第三のメニュー画面等表示手段と、
このメニュー画面を介して表示されるプロフィール登録画面における入力及び送信操作に起因して、携帯端末から受信したユーザ情報を保存する第三の情報保存手段と、
このメニュー画面における選択及び送信操作に起因して、２次元コードを読み取った携帯端末に係るユーザ情報を閲覧させる第三の情報閲覧手段を有する請求項１から請求項８のいずれか１項に記載の情報交換システム。
【請求項１０】
上記サーバが、
上記第一、第二又は第三の情報閲覧手段によって表示される情報を受信者側において追加させることのできるコメント追加手段を有する請求項１から請求項９のいずれか１項に記載の情報交換システム。
【発明の詳細な説明】
【技術分野】
【０００１】
本発明は、情報交換システムに関し、詳細には、携帯端末に内蔵される非接触ＩＣチップと近距離無線通信を行うことのできる携帯用リーダライタと、この携帯端末と通信ネットワークで接続されるサーバとを有し、携帯用リーダライタと携帯端末との操作によってサーバに保存される情報を、携帯用リーダライタを介して他人に送信することのできる情報交換システムに関する。
【背景技術】
【０００２】
現在、ビジネスやプライベートの場において、初対面の相手に個人情報を紹介する方法として、名刺交換等が行われている。しかし、通常使用される名刺は、一般的には紙製であり、縦５．５ｃｍ、横９．０ｃｍ程度に形成されている。従って、名刺は、通常、廃棄しない限り増加していき、それに伴って、保管スペースや所望の名刺を検索するのに必要とされる時間も増加していく。
【０００３】
また、名刺は、一定のサイズに設定されており、少なくとも一方の面の多くの範囲に渡って個人情報が記載されている。それ故、名刺を受け取った者が、かかる名刺に自分にとって有益な情報を追加記載しようとしても、記載スペースが限られており、所望の事項を記載できない場合がある。
【０００４】
さらに、名刺は、受け渡した人の役職等が事後的に変更された場合であっても、記載情報が受渡人側から書き換えられることがない。その結果、名刺に記載されている情報が現在の状況を反映しておらず、受取人側において却って混乱するような場合もある。
【０００５】
このような問題を解決するため、現在では様々な個人情報交換システムが発案されている。例えば、（１）名刺情報提供システム（特開２００９−６４３７１号公報参照）、（２）携帯電話機とタグ付カードとの連携システム（特開２００５−１６７８０３号公報参照）等が発案されている。
【０００６】
しかし、（１）の名刺情報提供システムは、受渡人側において紙製の名刺と２次元コードとを作成しなければならず、名刺作成に手間が掛かるとともに、受取人側における名刺保管スペースの削減効果も得られない。また、（１）の名刺情報提供システムは、受渡人側及び受取人側の双方においてパソコンが必要とされるので、多くの人が手軽に利用できるものではない。さらに、（１）の名刺情報提供システムは、名刺の受取人側において、紙製の名刺とパソコン画面とによって名刺情報を管理することになるので、従来の紙製の名刺のみの管理と比較して、却って管理に手間が掛かるおそれがある。加えて、（１）の名刺情報提供システムは、受取人側における名刺の裏書きスペースも、従来の名刺と同様に制限されている。
【０００７】
（２）の携帯電話機とタグ付カードとの連携システムは、従来の紙製の名刺にＲＦＩＤタグを取り付けたものを使用するので、個々の名刺に必要なコストが著しく増加する。また、（２）の連携システムは、従来の紙製の名刺に加えてＲＦＩＤタグを使用するので、名刺の保管スペースの削減効果は得られず、却って保管スペースの増加を招くおそれがある。さらに、（２）の連携システムは、紙製の名刺を使用するので、受取人側における裏書きスペースも限られている。
【０００８】
このように、名刺等の個人情報交換システムは、受取人側では、保管スペースを節約でき、検索にも手間がかからないと同時に、所望の情報を事後的に付加することができることが望まれている。さらに、受渡人側においても、名刺に記載された情報が現在の状況を反映していない場合には、記載内容を事後的に変更できることが望まれている。しかし、このような機能を備えた個人情報交換システムは現在のところ存在していない。
【先行技術文献】
【特許文献】
【０００９】
【特許文献１】特開２００９−６４３７１号公報
【特許文献２】特開２００５−１６７８０３号公報
【発明の概要】
【発明が解決しようとする課題】
【００１０】
本発明はこれらの不都合に鑑みてなされたものであり、情報の受取人側では、従来の紙製の名刺では必要とされた保管スペースが不要であるとともに、検索容易性及び情報付加機能性に優れており、他方、情報の受渡人側においては、既に受け渡した情報を事後的に容易に改変することのできる情報提供システムの提供を目的とするものである。
【課題を解決するための手段】
【００１１】
上記課題を解決するためになされた発明は、
携帯端末に内蔵される非接触ＩＣチップと近距離無線通信を行うことのできる携帯用リーダライタと、
この携帯端末と通信ネットワークで接続されるサーバと
を備える情報交換システムにおいて、
上記携帯用リーダライタが、
非接触ＩＣチップとの近距離無線通信によりこの非接触ＩＣチップＩＤを受信する非接触ＩＣチップ受信手段と、
受信した非接触ＩＣチップＩＤ及びリーダライタＩＤを関連付けて非接触ＩＣチップに送信するＩＣチップ送信手段とを有し、
上記サーバが、
関連付けられた上記リーダライタＩＤ及び非接触ＩＣチップＩＤを携帯端末から受信するＩＤ受信手段と、
上記非接触ＩＣチップＩＤ及びリーダライタＩＤの初回受信時にこれらのＩＤを親ＩＤとして登録する親ＩＤ登録手段と、
親ＩＤに係るリーダライタＩＤ及び非接触ＩＣチップＩＤを受信した場合に、この携帯端末にメニュー画面及びこれを介する他の画面を表示させる第一のメニュー画面等表示手段と、
このメニュー画面を介して表示されるプロフィール登録画面における入力及び送信操作に起因して、携帯端末から受信したユーザ情報を保存する第一の情報保存手段と、
上記親ＩＤに係るリーダライタＩＤ及び親以外の携帯端末に係る非接触ＩＣチップＩＤを受信した場合に、この携帯端末にこのリーダライタＩＤに係るユーザ情報を表示させる第一の情報表示手段と
を有する情報交換システムである。
【００１２】
当該情報交換システムは、一対の親ＩＤに係るリーダライタＩＤと非接触ＩＣチップＩＤとによってサーバに接続することで、このサーバにメニュー画面を表示させる。当該情報通信システムは、このメニュー画面を介して表示されるプロフィール登録画面からユーザ情報を入力し、このユーザ情報をサーバに保存することができる。さらに、当該情報交換システムは、サーバが、親ＩＤに係るリーダライタＩＤと親以外の非接触ＩＣチップＩＤとを受信した場合に、親以外の非接触ＩＣチップＩＤに係る携帯端末に、親ＩＤと関連付けてサーバに登録されているユーザ情報を表示させることができる。従って、当該情報交換システムは、親ＩＤを有するリーダライタを所持しておくことで、いつでも自分のプロフィール等の情報を相手に伝えることができる。その結果、当該情報交換システムは、情報の送信者側において名刺等を所持する必要がなく、保管スペースが削減できるとともに、名刺切れによって情報を伝達できなくなることもない。また、当該情報交換システムは、名刺を増刷する必要がないので、コストを削減することができる。さらに、当該情報交換システムは、一対の親ＩＤがサーバに送信されることにより携帯端末にメニュー画面を表示するものであるから、携帯用リーダライタを拾得した第三者が、この携帯用リーダライタと自分の携帯端末とによって近距離無線通信を行ってもメニュー画面は表示されない。それ故、当該情報交換システムは、極めて高いセキュリティ性を有している。
【００１３】
上記サーバが、上記メニュー画面を介して表示されるプロフィール登録画面における入力及び送信操作に起因して、ユーザ情報を変更し上書き保存する情報変更手段を有するとよい。これにより、情報の送信者側において、情報送信時の保存内容が現在の状況に反している場合には、この情報を容易に変更することができ、かつリアルタイムで受信者側に伝達することができる。
【００１４】
親ＩＤに係るリーダライタＩＤ以外のリーダライタＩＤ及び親ＩＤに係る非接触ＩＣチップＩＤを受信した場合に、上記サーバが、親ＩＤに係る非接触ＩＣチップＩＤ及びこの親ＩＤに係る非接触ＩＣチップＩＤ以外の非接触ＩＣチップＩＤと親ＩＤ登録手段により関連付けられたリーダライタＩＤを子ＩＤとして関連付けて登録する第一の子ＩＤ登録手段と、上記メニュー画面における選択及び送信操作に起因して、子ＩＤとして登録されているリーダライタＩＤに係るユーザ情報を閲覧させる第一の情報閲覧手段とを有するとよい。これにより、親以外に係るリーダライタと親ＩＤを有する非接触ＩＣチップとの間で近距離無線通信を行うことにより、この非接触ＩＣチップを内蔵する携帯端末に、親以外のリーダライタＩＤに係るユーザ情報を表示することができる。また、メニュー画面における操作によって、このリーダライタＩＤに係るユーザ情報を任意に閲覧することができる。従って、情報の受信者側においても、親ＩＤに係る一対の携帯用リーダライタと非接触ＩＣチップを内蔵する携帯端末とを有していれば所望の送信者の情報を閲覧することができる。その結果、当該情報交換システムは、受信者側においても携帯用リーダライタと携帯端末とを保持していれば足りるので、著しく保管スペースを節約することができる。また、当該情報交換システムは、メニュー画面における選択により、情報を閲覧したい所望の送信者を容易に検索することができるので、送信者数の増加に拘わらず、極めて効率の高い検索機能を有している。
【００１５】
上記サーバが、上記親ＩＤ登録手段及び／又は子ＩＤ登録手段によって登録されたリーダライタＩＤと未登録の非接触ＩＣチップＩＤとを受信することによりこの非接触ＩＣチップに係る携帯端末にこのリーダライタＩＤに係るユーザ情報を表示させ、これによって表示される画面を介して、この非接触ＩＣチップＩＤを親ＩＤとして登録する第二の親ＩＤ登録手段と、この非接触ＩＣチップＩＤと共に受信したリーダライタＩＤを、この非接触ＩＣチップＩＤと関連付けて登録するリーダライタＩＤ登録手段と、この非接触ＩＣチップに係る携帯端末からのパスワードを受信して、この携帯端末からの利用を許可するログイン手段と、上記ログイン手段によって利用が許可された携帯端末に、メニュー画面及びこれを介する他の画面を表示させる第二のメニュー画面等表示手段と、このメニュー画面を介して表示されるプロフィール登録画面における入力及び送信操作に起因して、携帯端末から受信したユーザ情報を保存する第二の情報保存手段と、このメニュー画面における選択及び送信操作に起因して、上記リーダライタＩＤ登録手段によってこの非接触ＩＣチップと関連付けられて登録されているリーダライタＩＤに係るユーザ情報を閲覧させる第二の情報閲覧手段とを有するとよい。これにより、受信者が親ＩＤを有する携帯用リーダライタを所持しない場合でも、当該情報交換システムを利用することができる。
【００１６】
上記サーバが、上記第二の親ＩＤ登録手段によって登録されている非接触ＩＣチップＩＤ及び未登録のリーダライタＩＤを受信した場合に、このリーダライタＩＤを親ＩＤとして登録する第三の親ＩＤ登録手段と、上記リーダライタＩＤ登録手段によって登録されているリーダライタＩＤを、上記第三の親ＩＤ登録後に子ＩＤとして登録する第二の子ＩＤ登録手段とを有するとよい。これにより、親ＩＤに係る携帯用リーダライタを所有することなく当該情報交換システムを利用していた者が、後に親ＩＤに係る携帯用リーダライタを所有した場合であっても、携帯用リーダライタ非所有時にサーバに保存されていた情報をスムーズに継承することができる。
【００１７】
上記サーバが、１又は複数の携帯用リーダライタに対応することのできる会員番号を付与する会員番号付与手段と、上記第一又は第三の親ＩＤ登録手段において、この会員番号とリーダライタＩＤとを非接触ＩＣチップＩＤに関連付けて登録する第四の親ＩＤ登録手段と、会員番号と関連付けられたこのリーダライタＩＤ及び未登録の非接触ＩＣチップＩＤを受信した場合に、この非接触ＩＣチップＩＤに係る携帯端末にこのリーダライタＩＤに係るユーザ情報を表示させ、これによって表示される画面を介して、この非接触ＩＣチップＩＤを親ＩＤとして登録する第五の親ＩＤ登録手段とを有するとよい。これにより、所定の資格を有する者に会員番号を付与し、かかる会員番号を付与された者を介して当該情報交換システムの利用者を管理することができる。また、会員番号を付与された者の管理状況等を監視し、報酬等を付与することができる。
【００１８】
上記サーバが、親ＩＤに係るリーダライタＩＤが関連付けられて登録されている、親以外の非接触ＩＣチップＩＤに係るユーザ情報を表示する第二の情報表示手段を有するとよい。これにより、誰に対して情報を送信したかを容易に確認することができる。
【００１９】
上記サーバが、親ＩＤに係るユーザと、この親ＩＤと関連付けられて登録されている親以外のリーダライタＩＤ及び／又は親以外の非接触ＩＣチップＩＤに係るユーザとのメッセージ送受信手段を有するとよい。これにより、所望の情報を特定の相手に対してのみ伝達することができる。また、常時閲覧する必要のない、その場限りの情報の伝達を好適に行うことができる。
【００２０】
上記サーバが、メニュー画面を介して表示されるプロフィール画面に２次元コードを表示する２次元コード表示手段と、この２次元コードを読み取った携帯端末に、この読取りによって表示されるプロフィール画面を介してパスワードの設定を行わせるパスワード設定手段と、このパスワードの受信を経てこの携帯端末にメニュー画面及びこれを介する他の画面を表示させる第三のメニュー画面等表示手段と、このメニュー画面を介して表示されるプロフィール登録画面における入力及び送信操作に起因して、携帯端末から受信したユーザ情報を保存する第三の情報保存手段と、このメニュー画面における選択及び送信操作に起因して、２次元コードを読み取った携帯端末に係るユーザ情報を閲覧させる第三の情報閲覧手段を有するとよい。これにより、２次元コード読み取り機能を有している携帯端末であれば、非接触ＩＣチップが内蔵されていなくても、当該情報交換システムを利用することができる。
【００２１】
上記サーバが、上記第一、第二又は第三の情報閲覧手段によって表示される情報を受信者側において追加させることのできるコメント追加手段を有するとよい。これにより、情報の受信側において、所望の情報を任意に付加することができる。
【００２２】
ここで、「親ＩＤ」とは、携帯端末にメニュー画面及びこれを介する他の画面を表示させるために必要となるリーダライタＩＤ及びこの携帯端末に内蔵された非接触ＩＣチップＩＤのことをいい、「子ＩＤ」とは、親ＩＤ以外のリーダライタＩＤ及び非接触ＩＣチップＩＤであって、親ＩＤと関連付けられてサーバに登録されているＩＤのことをいう。「携帯用リーダライタＩＤに係るユーザ情報」とは、携帯用リーダライタが親ＩＤに係る携帯用リーダライタＩＤとして保存されているユーザ情報のことをいう。一方、「非接触ＩＣチップＩＤに係るユーザ情報」とは、非接触ＩＣチップＩＤが親ＩＤに係る非接触ＩＣチップＩＤとして保存されているユーザ情報のことをいう。「一対の親ＩＤ」とは、携帯用リーダライタＩＤ及び非接触ＩＣチップＩＤが共に親ＩＤである場合をいう。また、「未登録」とは、親ＩＤ、子ＩＤ等いずれの形態としてもサーバに登録されていない状態のことをいう。さらに、「送信者」とは、携帯用リーダライタＩＤに係るユーザ情報を送信する者のことをいい、「受信者」とは、携帯用リーダライタＩＤに係るユーザ情報を受け取る者のことをいう。
【発明の効果】
【００２３】
以上説明したように、本発明の情報交換システムは、受信者側における検索容易性及び情報付加機能に優れているとともに、送信者側においてはリアルタイムに情報改変を行うことができ、さらに受信者側と送信者側の双方において保管スペースを節約することができる。
【図面の簡単な説明】
【００２４】
【図１】本発明の一実施形態に係る情報交換システムを示す概略ブロック図である。
【図２】図１の情報交換システムにおける携帯端末とサーバとの接続方法を示すシーケンス図である。
【図３】図１の情報交換システムの携帯端末に表示されるプロフィール画面の一例を示す図である。
【図４】図１の情報交換システムの会員登録画面の一例を示す図である。
【図５】図１の情報交換システムにおけるリーダライタＩＤ及び非接触ＩＣチップＩＤの登録手順を示すフロー図である。
【図６】図１の情報交換システムのメニュー画面の一例を示す図である。
【図７】図１の情報交換システムのメッセージの送受信手順を示すシーケンス図である。
【図８】図１の情報交換システムのマイ画像登録画面の一例を示す図である。
【図９】図１の情報交換システムのプロフィール登録画面の一例を示す図である。
【図１０】図９のプロフィール登録画面を経て作成されるプロフィール画面の一例を示す図である。
【図１１】図１０のプロフィール画面に表示されるコメントの編集を行うコメント編集画面の一例を示す図である。
【図１２】図１の情報交換システムとは異なる形態に係る情報交換システムを示す概略ブロック図である。
【図１３】図１２の情報交換システムのメニュー画面の一例を示す図である。
【図１４】図１２の情報交換システムの会員番号申請画面の一例を示す図である。
【図１５】図１、１２の情報交換システムとは異なる形態に係る情報交換システムを示す概略ブロック図である。
【図１６】図１５の情報交換システムのプロフィール画面の一例を示す図である。
【発明を実施するための形態】
【００２５】
以下、適宜図面を参照しつつ本発明の実施の形態を詳説する。
【００２６】
図１の情報交換システム１は、ネットワーク２と、携帯用リーダライタ３と、携帯端末４と、サーバ５とを有している。
【００２７】
ネットワーク２は、典型的にはインターネットである。ネットワーク２は、携帯端末４とサーバ５とを接続可能に構成されている。ネットワーク２は、携帯端末４とサーバ５とを直接接続してもよく、また移動通信網用サーバ（図示せず）を介して接続してもよい。移動通信網用サーバを介して携帯端末４とサーバ５とを接続する場合、携帯端末４と移動通信網用サーバとは、移動通信網（図示せず）によって接続され、移動通信網用サーバとサーバ５とがネットワーク２によって接続される。移動通信網用サーバとしては、ｉモード（登録商標）サーバ等が存在する。
【００２８】
携帯用リーダライタ３は、通信部６と、通信制御部７と、記憶部８とを有している。携帯用リーダライタ３は、一般的には、扁平な直方体状に形成されている。携帯用リーダライタ３の大きさとしては、奥行及び幅が２．５ｃｍ〜４．０ｃｍ程度、高さが０．５ｃｍ〜２．０ｃｍ程度とされている。
【００２９】
通信部６は、アンテナ（図示せず）を有している。通信部６は、アンテナを介して携帯端末４の有する非接触ＩＣチップ１５との間の近距離無線通信を行う。通信部６は、携帯端末４から非接触ＩＣチップＩＤを受信する。また、通信部６は、通信制御部７によって暗号化された非接触ＩＣチップＩＤとリーダライタＩＤとを携帯端末４に送信する。
【００３０】
通信制御部７は、携帯用リーダライタ３と非接触ＩＣチップ１５との近距離無線通信の制御を行う。通信制御部７は、携帯端末４側から非接触ＩＣチップＩＤを受信すると、この非接触ＩＣチップＩＤと記憶部８に格納されているリーダライタＩＤとを記憶部８に格納されている乱数表に基づいて暗号化する。通信制御部７は、これらの暗号化されたＩＤ及び記憶部８に格納されているサーバ５の特定のページに接続するための固有のＵＲＬを携帯端末４側に送信する。携帯用リーダライタ３と非接触ＩＣチップＩＤとの近距離無線通信は、携帯用リーダライタ３が備える送信スイッチ（図示せず）を押すことによって実行される。
【００３１】
記憶部８は、通信制御部７が実行する動作プログラムや、この動作プログラムの処理に必要となるデータ等を記憶する。記憶部８には、リーダライタＩＤ、乱数表及びこの乱数表に基づいてリーダライタＩＤと非接触ＩＣチップＩＤとを暗号化する暗号化プログラムが格納されている。また、記憶部８には、サーバ５の特定のページに接続するための固有のＵＲＬが格納されている。
【００３２】
携帯端末４は、通信部９と、入力部１０と、表示部１１と、制御部１２と、記憶部１３とを有している。
【００３３】
通信部９は、アンテナ（図示せず）を有している。通信部９は、アンテナを介して携帯用リーダライタ３との間の近距離無線通信を行う。また、通信部９は、アンテナを介してサーバ５とのネットワーク通信を行う。通信部９は、携帯用リーダライタ３及びサーバ５から受信した信号を通信制御部１４に通知する。通信部９は、通信制御部１４から受信した信号を携帯用リーダライタ３及びサーバ５に送信する。
【００３４】
入力部１０は、プッシュボタンやカーソルキー等の各種ボタンを有している。入力部１０は、ユーザからの入力によって、その入力内容に応じた操作信号を制御部１２に通知する。
【００３５】
表示部１１は、液晶その他の表示素子によって構成されている。表示部１１は、文字情報や映像・画像情報、操作・動作に係る種々の情報の表示を行う。
【００３６】
制御部１２は、通信制御部１４と、非接触ＩＣチップ１５とを有している。
【００３７】
通信制御部１４は、携帯用リーダライタ３と携帯端末４との近距離無線通信の制御を行う。また、通信制御部１４は、携帯端末４とサーバ５とのネットワーク通信を制御する。通信制御部１４は、非接触ＩＣチップ１５に格納されている非接触ＩＣチップＩＤを携帯用リーダライタ３側に送信する。さらに、通信制御部１４は、携帯用リーダライタ３側から送られる暗号化されたリーダライタＩＤ、暗号化された非接触ＩＣチップＩＤ及び所定のＵＲＬを非接触ＩＣチップ１５に送信する。
【００３８】
非接触ＩＣチップ１５は、携帯用リーダライタ３から所定の電磁波の送信を受けることにより起動する。非接触ＩＣチップ１５は、固有の非接触ＩＣチップＩＤを有している。非接触ＩＣチップ１５は、携帯用リーダライタ３との近距離無線通信により非接触ＩＣチップＩＤを携帯用リーダライタ３側に送信する。非接触ＩＣチップ１５は、携帯用リーダライタ３側から暗号化されたリーダライタＩＤと非接触ＩＣチップＩＤとを受け取ると、携帯端末４のブラウザを立ち上げる。非接触ＩＣチップ１５は、携帯用リーダライタ３に設定されたサーバ５に係る所定の接続ＵＲＬ、暗号化されたリーダライタＩＤ及び暗号化された非接触ＩＣチップＩＤを表示してサーバ５に接続する。非接触ＩＣチップ１５としては、例えば、フェリカ（登録商標）チップを挙げることができる。
【００３９】
記憶部１３は、通信制御部１４が実行する動作プログラムや、この動作プログラムの処理に必要となるデータ等を記憶する。
【００４０】
サーバ５は、通信部１６と、制御部１７と、記憶部１８とを有している。
【００４１】
通信部１６は、ネットワーク２を介して携帯端末４とのネットワーク通信を行う。通信部１６は、携帯端末４から受信した信号を通信制御部１９に通知する。また、通信部１６は、通信制御部１９から受信した信号を携帯端末４に送信する。
【００４２】
制御部１７は、通信制御部１９と、プロフィール処理部２０と、プロフィール交換部２１と、メッセージ処理部２２と、コメント処理部２３とを有している。
【００４３】
通信制御部１９は、携帯端末４とサーバ５とのネットワーク通信の制御を行う。通信制御部１９は、暗号処理部（図示せず）を有している。暗号処理部は、携帯端末４から送信される暗号化されたリーダライタＩＤと暗号化された非接触ＩＣチップＩＤとを複合化する。暗号処理部は、これらの複合化したＩＤと、事前に記憶部１８に記憶されているリーダライタＩＤ及び非接触ＩＣチップＩＤとを照合する。暗号処理部は、この照合結果を携帯端末４に送信する。
【００４４】
プロフィール処理部２０は、携帯端末４の入力部１０によって入力されるユーザのプロフィール情報を記憶部１８に格納する。また、プロフィール処理部２０は、記憶部２０に格納されているユーザのプロフィールを携帯端末４からの求めに応じて送信する。
【００４５】
プロフィール交換部２１は、携帯端末４に内蔵される非接触ＩＣチップ１５と携帯用リーダライタ３との近距離無線通信によって送信される携帯用リーダライタ３に係る他のユーザの情報を記憶部１８に格納する。プロフィール交換部２１は、非接触ＩＣチップ１５及び携帯用リーダライタ３のＩＤとユーザ情報とを関連付けて記憶部１８に格納する。また、プロフィール交換部２１は、記憶部１８に格納されているユーザ情報を携帯端末４からの求めに応じて送信する。
【００４６】
メッセージ処理部２２は、携帯端末４から送信されるメッセージを送信者及び受信者の非接触ＩＣチップＩＤ等と関連付けて記憶部１８に格納する。また、メッセージ処理部２２は、受信者の携帯端末４からの要求に応じて、このメッセージを送信する。
【００４７】
コメント処理部２３は、携帯端末４から送信されるコメントを記憶部１８に格納する。また、コメント処理部２３は、携帯端末４からの要求に応じて、記憶部１８に格納されているコメントを返信する。コメント処理部２３は、送信者と受信者とを特定することによって定められる固有のＩＤと関連付けてこのコメントを格納する。
【００４８】
記憶部１８は、通信制御部１９、プロフィール処理部２０、プロフィール交換部２１、メッセージ処理部２２、コメント処理部２３等が実行する動作プログラムや、この動作プログラムの処理に必要となるデータ等を記憶する。記憶部１８は、リーダライタＩＤと非接触ＩＣチップＩＤとを格納している。また、記憶部１８は、暗号化されたリーダライタＩＤ及び暗号化された非接触ＩＣチップＩＤを複合化するための複合鍵を格納している。
【００４９】
次に、図２を参照して、携帯用リーダライタ３と非接触ＩＣチップ１５との近距離無線通信を起点として行われる、携帯端末４とサーバ５との接続方法について説明する。図２では、子ＩＤに係る携帯用リーダライタ３と親ＩＤに係る又は未登録の非接触ＩＣチップ１５とによって近距離無線通信を行うものとする。
【００５０】
まず、携帯用リーダライタ３は、ユーザが送信スイッチを押することによって携帯端末４の有する非接触ＩＣチップ１５と近距離無線通信を行う。これにより、携帯用リーダライタ３は、携帯端末４から非接触ＩＣチップＩＤを受信する。そして、携帯用リーダライタ３は、記憶部８に格納されているリーダライタＩＤ及び受信した非接触ＩＣチップＩＤを通信制御部７により暗号化したうえで、携帯端末４に送信する。携帯用リーダライタ３は、これらの暗号化されたＩＤとともに、記憶部８に保存されているサーバ５の特定のページに接続するためのＵＲＬを携帯端末４に送信する。携帯端末４の非接触ＩＣチップ１５は、この暗号化されたリーダライタＩＤと暗号化された非接触ＩＣチップＩＤ及びサーバ５の特定のページに接続するためのＵＲＬを受信する。非接触ＩＣチップ１５は、携帯端末４のブラウザを立ち上げ、携帯用リーダライタ３に設定されたサーバ５に係る所定の接続ＵＲＬ及び暗号化したリーダライタＩＤと暗号化された非接触ＩＣチップＩＤとを表示してサーバ５に接続する。サーバ５は、これらの暗号化されたＩＤを複合化して、認証結果を携帯端末４に送信する。携帯端末４は、この認証結果を受けて、この携帯用リーダライタ３に設定された特定のページへのログイン要求を行う。これに対し、サーバ５は、ログイン許可を行う。
【００５１】
続いて、図３を参照して、上記接続の結果として携帯端末４の表示部１１に表示される画面について説明する。なお、一対の親ＩＤに係る携帯用リーダライタ３と非接触ＩＣチップ１５との近距離無線通信による接続も図２と同様の手順によって行われる。但し、この場合は、表示部１１には、後述するメニュー画面５１が表示される。
【００５２】
図３のプロフィール画面３１は、送信者表示部３２と、送信者紹介部３３と、受信者登録受付部３４とを有している。
【００５３】
送信者表示部３２は、送信者の顔写真、アイコン等、送信者を示す画像が表示される。
【００５４】
送信者紹介部３３は、送信者のニックネーム、アピール等、送信者が希望する情報を表示して送信者の紹介を行う。
【００５５】
受信者登録受付部３４は、受信者の非接触ＩＣチップ１５が未登録である場合に所定のＵＲＬに空メールを送信するためのものである。受信者は、受信者登録受付部３４をクリックすることによって所定のＵＲＬに空メールを送信することができる。そして、この空メール送信に対する返信メールに表示される所定のＵＲＬにアクセスして所定の事項を入力・送信することにより、この受信者の携帯端末４をサーバ５へ登録することができる。
【００５６】
図４を参照して、この登録手続について説明する。
【００５７】
会員登録画面４１は、会員情報入力部４２と、登録ボタン４３とを有している。会員情報入力部４２は、メールアドレスやパスワード等、所定の会員情報を入力する欄である。登録ボタン４３は、携帯端末４を入力事項とともにサーバ５に登録するためのボタンである。登録希望者は、会員情報入力部４２に必要事項を入力したうえで、登録ボタン４３を押すことによって、携帯端末４と入力事項とををサーバ５の記憶部１８に登録する。このとき、サーバ５は、この携帯端末４の非接触ＩＣチップＩＤ及びこの非接触ＩＣチップ１５と近距離無線通信を行った携帯用リーダライタのＩＤをこれらの入力情報と関連付けて記憶部１８に登録する。
【００５８】
かかる登録を受けて、サーバ５は、携帯端末４に対し、この携帯端末４に固有のＵＲＬを返信する。携帯端末４は、このＵＲＬをブックマークとして使用することによって、当該情報交換システム１を利用することができる。従って、当該情報交換システム１は、受信者が親ＩＤに係る携帯用リーダライタ３を所持しない場合であっても利用することができる。なお、ユーザは、上記会員情報入力部４２において入力したパスワードを入力し、サーバ５によって認証されることにより、サーバ５を利用することができるようになる。
【００５９】
また、当該情報交換システム１は、親ＩＤに係る携帯用リーダライタ３を所持しない場合であっても、親以外として登録済みの携帯用リーダライタ３と非接触ＩＣチップ１５とが関連付けられて記憶部１８に保存されている。その結果、当該情報交換システム１は、後に、この非接触ＩＣチップ１５と未登録携帯用リーダライタ３との近距離無線通信によって、未登録携帯用リーダライタ３と非接触ＩＣチップ１５とを親ＩＤを有する携帯用リーダライタ３及び非接触ＩＣチップ１５として所持することになった場合であっても、親以外の携帯用リーダライタ３に係る登録済みのユーザ情報を子ＩＤを有する携帯用リーダライタ３に係るユーザ情報として容易に引き継ぐことができる。なお、かかる情報の引き継ぎにおいては、ユーザ確認等のため、数種の入力項目を用意してもよい。
【００６０】
続いて、図５を参照して、リーダライタＩＤ及び非接触ＩＣチップＩＤの登録手順について説明する。
【００６１】
まず、携帯用リーダライタ３と非接触ＩＣチップ１５との間で近距離無線通信を行い、非接触ＩＣチップＩＤを携帯用リーダライタ３に送信する（ＳＴＰ１）。次に、携帯用リーダライタ３は、リーダライタＩＤと受信した非接触ＩＣチップＩＤとを暗号化し、携帯用リーダライタ３に設定されたサーバ５の特定ページへの接続ＵＲＬとともに非接触ＩＣチップ１５に送信する（ＳＴＰ２）。続いて、非接触ＩＣチップ１５は、携帯端末４のブラウザを立ち上げ、携帯用リーダライタ３に設定されたサーバ５に係る所定の接続ＵＲＬ及び暗号化したリーダライタＩＤと暗号化した非接触ＩＣチップＩＤとを表示してサーバ５に接続する（ＳＴＰ３）。サーバ５は、これらのＩＤを受信して複合化したうえで、このリーダライタＩＤが既にサーバ５に登録されているか否かを判断する（ＳＴＰ４）。ＳＴＰ４において、リーダライタＩＤが既に登録されている場合はＳＴＰ５に進む。ＳＴＰ５では、このリーダライタＩＤとともに送信された非接触ＩＣチップＩＤがサーバ５に登録されているかが判断される。ここで、非接触ＩＣチップＩＤがサーバ５に登録されている場合は、この非接触ＩＣチップＩＤに対して、リーダライタＩＤが親に係るリーダライタＩＤとして登録されているかが判断される（ＳＴＰ６）。リーダライタＩＤが親として登録されている場合は、このリーダライタＩＤに係るメニュー画面を携帯端末４の表示部１１に表示する（ＳＴＰ７）。一方、ＳＴＰ６において、リーダライタＩＤが親として登録されていない場合は、このリーダライタＩＤが、共に送信された非接触ＩＣチップＩＤとの関係における子ＩＤとしてサーバ５に登録されているかが判断される（ＳＴＰ８）。そして、子ＩＤとして既に登録されている場合は、このリーダライタＩＤに係るプロフィール画面を携帯端末４の表示部１１に表示する（ＳＴＰ９）。また、子ＩＤとして登録されていない場合は、ＳＴＰ１０において、リーダライタＩＤを子ＩＤとして非接触ＩＣチップＩＤと関連付けてサーバ５に登録したうえで、リーダライタＩＤに係るプロフィール画面を表示する（ＳＴＰ９）。
【００６２】
他方、ＳＴＰ４において、リーダライタＩＤが未登録である場合には、このリーダライタＩＤと共に送信された非接触ＩＣチップＩＤがサーバ５に登録されているか否かが判断される（ＳＴＰ１１）。そして、非接触ＩＣチップＩＤがサーバ５に登録されている場合には、携帯端末４の表示部１１に所定の入力画面を表示する。この入力画面は、会員登録画面４１における入力事項と重複する内容を含んでいる。ユーザは、この画面にニックネーム等の必要事項を入力し、サーバ５に送信する（ＳＴＰ１２）。サーバ５は、この送信情報を会員登録画面４１から入力されている入力情報と照合し（ＳＴＰ１３）、合致していた場合には、リーダライタＩＤをこの非接触ＩＣチップＩＤと対をなす親ＩＤとしてサーバ５に登録する（ＳＴＰ１４）。一方、入力情報が合致していない場合は、携帯端末４の表示部１１にエラー表示する（ＳＴＰ１５）。また、ＳＴＰ１１において非接触ＩＣチップＩＤがサーバ５に登録されていない場合は、携帯端末４の表示部１１にエラー表示をする（ＳＴＰ１３）。
【００６３】
次に、図６を参照して、親ＩＤに係る携帯用リーダライタ３と親ＩＤに係る非接触ＩＣチップ１５との近距離無線通信によって表示されるメニュー画面及び携帯端末４に固有のＵＲＬをブックマークとして使用した場合に表示されるメニュー画面について説明する。
【００６４】
メニュー画面５１は、会員メニュー部５２と、プロフィール交換部５３とを具備している。
【００６５】
会員メニュー部５２は、メッセージ受信部５４と、ホームページプレビュー部５５と、ホームページ登録部５６と、マイ画像登録・削除部５７と、同報メール作成部５８と、会員情報登録部５９とを有している。
【００６６】
メッセージ受信部５４は、ユーザのクリックにより、プロフィールを送受信したことのある相手から受け付けたメッセージを表示する。ユーザは、メッセージ受信部５４を選択することにより、受信しているメッセージの一覧及び個別のメッセージを確認することができる。
【００６７】
ホームページプレビュー部５５は、ユーザのクリックにより、自身が作成したプロフィール画面を表示する。
【００６８】
ホームページ登録部５６は、ユーザのクリックにより、プロフィール登録画面を表示する。
【００６９】
マイ画像登録・削除部５７は、ユーザのクリックにより、プロフィール画面に表示する自身の顔写真、アイコン等の登録画面を表示する。
【００７０】
同報メール作成部５８は、ユーザのクリックにより、プロフィールを送受信したことのある相手に対して同報メールを作成するための画面を表示する。
【００７１】
会員情報登録部５９は、ユーザのクリックにより、現在の会員登録内容の変更画面を表示する。具体的には、会員情報登録部５９は、ユーザのクリックにより、会員登録画面４１を表示する。
【００７２】
プロフィール交換部５３は、プロフィール送信者表示部５３ａと、プロフィール受信者表示部５３ｂとを有している。
【００７３】
プロフィール送信者表示部５３ａは、子ＩＤを有する携帯用リーダライタ３との近距離無線通信によって受け付けた携帯用リーダライタ３に係るユーザのニックネームを表示する。ユーザは、このニックネームをクリックすることによって、このニックネームに係る送信者情報をサーバ５から取得して閲覧することができる。なお、子ＩＤに係る携帯用リーダライタ３との近距離無線通信によって取得されるユーザ情報は、プロフィール交換部２１の処理を経て、受信者及び送信者のリーダライタＩＤ及び非接触ＩＣチップＩＤと関連付けて記憶部１８に格納されている。従って、送信者側において、事後的にユーザ情報が変更された場合、かかる変更内容は、受信者側においてもリアルタイムで変更される。その結果、当該情報交換システム１は、受信時の情報が現状を反映していないためにユーザ情報が陳腐化することを防止することができる。
【００７４】
プロフィール受信者表示部５３ｂは、親ＩＤに係る携帯用リーダライタ３によって近距離無線通信を行った親以外の非接触ＩＣチップＩＤに係るユーザのニックネームを表示する。プロフィール受信者表示部５３ｂにおいては、ユーザは、相手のニックネームを見ることはできるが、このニックネームをクリックしても相手の情報を閲覧することができないように設定されている。このように、当該情報交換システム１は、自らの親ＩＤに係る携帯用リーダライタ３によらない限り自身の情報を第三者に送信することができない。従って、当該情報交換システム１は、自らの意思によらないうちに、自身の情報が第三者に知られることを防止することができる。他方、当該情報交換システム１は、プロフィール受信者表示部５３ｂを確認することにより、誰に対して情報を送信したかを容易に確認することができる。
【００７５】
なお、親ＩＤを有する携帯用リーダライタ３との近距離無線通信を行った親以外に係る非接触ＩＣチップのＩＤは、プロフィール交換部２１の処理を経て、親ＩＤに係るリーダライタＩＤと関連付けて記憶部１８に格納される。一方、親ＩＤに係るリーダライタＩＤは、この携帯用リーダライタ３と対をなす親ＩＤに係る非接触ＩＣチップＩＤと関連付けて記憶部１８に格納されている。従って、記憶部１８においては、かかる近距離無線通信を行った、親以外に係る非接触ＩＣチップＩＤは、親ＩＤに係る非接触ＩＣチップＩＤとも関連付けられて記憶部１８に保存される。
【００７６】
また、プロフィール交換部５３では、プロフィール交換を行った送信者及び受信者のニックネームを直接表示するのではなく、送信者及び受信者の入力に基づく所定の区分（「プライベート」、「ビジネス」等）を作成し、この区分を表示するようにしてもよい。そして、ユーザがこの区分をクリックすることにより各区分に分類されたユーザのニックネームが表示されるようにしてもよい。これにより、プロフィール交換を行った送信者又は受信者数が増加した場合であっても、所望の相手を容易に検索することができる。
【００７７】
図７を参照して、メッセージの送受信手順について説明する。まず、送信者端末は、ユーザの操作により、表示部１１にメニュー画面５１を表示する。送信者は、このメニュー画面５１において同報メール作成部５８をクリックする。続いて送信者は、プロフィール交換したことのある１又は複数の相手を選択して所望の同報メールを作成し、このメールをサーバ５に送信する。サーバ５は、受信したメールを、メッセージ処理部２２の処理により送信者及び受信者の非接触ＩＣチップＩＤと関連付けて記憶部１８に保存する。
【００７８】
一方、受信者端末は、ユーザの操作によって、表示部１１にメニュー画面５１を表示する。受信者は、このメニュー画面５１においてメッセージ受信部５４を選択する。さらに受信者は、メッセージ受信部５４を選択することによって表示されるメッセージ送信者の一覧画面（図示せず）から、受信したい所望のメッセージを選択する。受信者端末は、受信者のこの選択を受けて、サーバ５に対してメッセージ受信要求を行う。これに対して、サーバ５は、受信者端末へ要求されたメッセージをメッセージ処理部２２の処理を経て送信する。
【００７９】
当該情報交換システム１は、所望の相手に対するメッセージ送受信手段を有しているので、所望の情報を特定の相手に対してのみ伝達することができる。また、当該情報交換システム１は、常時閲覧する必要のない、その場限りの情報の伝達を好適に行うことができる。
【００８０】
図８、９及び１０を参照して、メニュー画面５１を介して行われるプロフィール作成方法について説明する。
【００８１】
図８（１）のマイ画像登録画面６１は、マイ画像登録・削除部５７をクリックすることで表示される画面である。マイ画像登録画面６１は、マイ画像登録部６２と、マイ画像削除部６３とを有している。
【００８２】
マイ画像登録部６２には、所定のＵＲＬへ接続するためのリンクが貼られている。ユーザは、このＵＲＬに対してメールの添付資料として画像を送信することにより、所望の画像をサーバ５の記憶部１８に保存する。
【００８３】
マイ画像削除部６３は、ユーザのクリックにより、サーバ５に保存したマイ画像を削除するためのマイ画像削除画面６４を表示する。
【００８４】
図８（２）のマイ画像削除画面６４は、削除画像表示部６５と、削除画像選択部６６と、削除ボタン６７とを有している。
【００８５】
削除画像表示部６５には、マイ画像登録を経てサーバ５に保存されている画像が表示される。
【００８６】
削除画像選択部６６は、ユーザの選択により、削除する画像を決定する。
【００８７】
削除ボタン６７は、ユーザがクリックすることにより、削除決定されている画像をサーバ５の記憶部１８から削除する。
【００８８】
図９のプロフィール登録画面７１は、デザインパターン選択部７２と、画像選択部７３と、文言設定部７４と、登録ボタン７５とを有している。なお、図９のプロフィール登録画面７１による登録を経て表示されるプロフィール画面が図１０のプロフィール画面８１である。
【００８９】
デザインパターン選択部７２は、プロフィール画面８１の背景画面を選択するためのものである。ユーザは、予め定められ、サーバ５の記憶部１８に保存されている背景画面の中から所望のデザインパターンを選択して背景画面とする。かかる背景画面としては、例えば、「ショップ調」、「ノスタルジア調」、「ゴシック調」等があり、個人がビジネスやプライベートにおいて好適に利用できるだけでなく、店舗等が店舗紹介ページとして利用するのにも適している。
【００９０】
画像選択部７３は、プロフィール画面８１において送信者表示部８２に表示される画像を選択するためのものである。ユーザは、マイ画像登録によってサーバ５に保存されているうちの所望の画像を選択して画像選択部７３に入力することにより、送信者表示部８２に表示される画像を選択する。
【００９１】
文言設定部７４は、プロフィール画面８１の送信者紹介部８３において、ユーザがアピールしたい項目及び各項目に対するアピール内容を入力するためのものである。文言設定部７４においては、ユーザは自らの必要性や嗜好に合った項目を自由に入力することができるので、各ユーザが最適な項目及び内容を作成することができる。
【００９２】
登録ボタン７５は、プロフィール登録内容を確定し、サーバ５の記憶部１８に保存するためのボタンである。登録ボタン７５によって確定された内容は、サーバ５のプロフィール処理部２０の処理により、親ＩＤに係るリーダライタＩＤと親ＩＤに係る非接触ＩＣチップＩＤとに関連付けられて記憶部１８に格納される。
【００９３】
なお、かかるプロフィールの作成は、メニュー画面５１からホームページ登録部５６をクリックした場合に表示されるプロフィール登録画面７１において自由に行うことができる。従って、ユーザは、一旦プロフィール登録した場合であっても、後に登録内容を容易に変更することができる。
【００９４】
図１０のプロフィール画面８１は、送信者表示部８２と、送信者紹介部８３と、コメント表示部８４と、コメント編集部８５とを有している。
【００９５】
送信者表示部８２は、画像選択部７３及び登録ボタン７５により選択・登録された画像が表示される。
【００９６】
送信者紹介部８３は、文言設定部７４及び登録ボタン７５により入力・登録された送信者情報が表示される。
【００９７】
コメント表示部８４は、受信者が、プロフィール画面８１に表示される送信者に対して入力した情報が表示される。このコメントは、コメント編集部８５へのアクセスを経て入力又は変更される。
【００９８】
コメント編集部８５は、受信者が、コメント表示部８４に表示されるコメントを入力又は変更するためのものである。受信者が、コメント編集部８５をクリックすると、図１１に示すコメント編集画面９１が表示される。
【００９９】
コメント編集画面９１は、送信者表示部９２と、送信者紹介部９３と、コメント作成部９４と、登録ボタン９５とを有している。
【０１００】
受信者は、所望の文言等をコメント作成部９４に入力して登録ボタン９５をクリックする。これにより、かかるコメントは、コメント処理部２３の処理を経て記憶部１８に格納される。従って、受信者は、送信者毎に、所望の文言を任意に付加することができる。
【０１０１】
コメント処理部２３のコメント格納機構について説明する。まず、記憶部１８には、プロフィール画面８１に表示されている送信者とプロフィールを閲覧している受信者との関係によって定まる固有のＩＤが保存されている。そして、受信者が、所望のコメントを入力又は変更して登録ボタン９３を押すと、コメント処理部８２がこのコメントと上記ＩＤとを関連付けて記憶部１８に格納する。これにより、このコメントは、どの受信者からどの送信者に対するものであるかが一義的に確定される。その結果、受信者は、プロフィール画面８１を表示することにより、送信者によって入力された情報と同時に、自らが入力したコメントを確認することができる。
【０１０２】
当該情報交換システム１は、一対の親ＩＤに係るリーダライタＩＤと非接触ＩＣチップＩＤとによってサーバ５に接続することで、このサーバ５にメニュー画面５１を表示させる。当該情報通信システム１は、このメニュー画面５１を介して表示されるプロフィール登録画面７１からユーザ情報を入力し、このユーザ情報をサーバ５に保存することができる。さらに、当該情報交換システム１は、サーバ５が、親ＩＤに係るリーダライタＩＤと親以外の非接触ＩＣチップＩＤとを受信した場合に、親以外の非接触ＩＣチップＩＤに係る携帯端末４に、親ＩＤと関連付けてサーバ５に登録されているユーザ情報を表示させることができる。従って、当該情報交換システム１は、親ＩＤを有するリーダライタ３を所持しておくことで、いつでも自分のプロフィール等の情報を相手に伝えることができる。その結果、当該情報交換システム１は、情報の送信者側において名刺等を所持する必要がなく、保管スペースが削減できるとともに、名刺切れによって情報を伝達できなくなることもない。また、当該情報交換システム１は、名刺を増刷する必要がないので、コストを削減することができる。さらに、当該情報交換システム１は、一対の親ＩＤがサーバ５に送信されることにより携帯端末４にメニュー画面５１を表示するものであるから、携帯用リーダライタ３を拾得した第三者が、この携帯用リーダライタ３と自分の携帯端末４とによって近距離無線通信を行ってもメニュー画面５１は表示されない。それ故、当該情報交換システム１は、極めて高いセキュリティ性を有している。
【０１０３】
当該情報交換システム１は、親以外に係るリーダライタ３と親ＩＤを有する非接触ＩＣチップ１５との間で近距離無線通信を行うことによって、この非接触ＩＣチップ１５を内蔵する携帯端末４に、親以外のリーダライタＩＤに係るユーザ情報を表示することができる。また、当該情報交換システム１は、メニュー画面５１における操作によって、このリーダライタＩＤに係るユーザ情報を任意に閲覧することができる。従って、当該情報交換システム１は、情報の受信者側においても、親ＩＤに係る一対の携帯用リーダライタ３と非接触ＩＣチップ１５を内蔵する携帯端末４とを有していれば所望の送信者の情報を閲覧することができる。その結果、当該情報交換システム１は、受信者側においても携帯用リーダライタ３と携帯端末４とを保持していれば足りるので、著しく保管スペースを節約することができる。また、当該情報交換システム１は、メニュー画面５１における選択により、情報を閲覧したい所望の送信者を容易に検索することができるので、送信者数の増加に拘わらず、極めて効率の高い検索機能を有している。
【０１０４】
当該情報交換システム１は、メニュー画面５１を経て表示される所定の画面において、ユーザが携帯端末４から個人情報を変更することによってサーバ５に保存されたユーザ情報を変更し、この変更内容をサーバ５に上書き保存することができる。従って、当該情報交換システム１は、情報の送信者側において、情報送信時の保存内容が現在の状況に反している場合には、この情報を容易に変更することができ、かつリアルタイムで受信者側に伝達することができる。
【０１０５】
加えて、当該情報交換システム１は、携帯用リーダライタ３が具備する送信スイッチを押すことを起点として携帯端末４とサーバ５とが接続される。従って、当該情報交換システム１は、携帯用リーダライタ３が第三者の携帯端末４と近接した場合であっても、送信スイッチを押さない限りこの第三者の携帯端末にユーザの情報が漏洩することがない。それ故、当該情報交換システム１は、高い情報漏洩防止機能を有している。
【０１０６】
図１２の情報交換システム１０１は、ネットワーク２と、携帯用リーダライタ３と、携帯端末４と、サーバ１０２とを有している。以下の説明において、図１の情報交換システム１と同様の構成については同一番号を付して適宜説明を省略する。
【０１０７】
サーバ１０２は、通信部１６と、制御部１０３と、記憶部１８とを有している。
【０１０８】
制御部１０３は、通信制御部１９と、プロフィール処理部２０と、プロフィール交換部２１と、メッセージ処理部２２と、コメント処理部２３と、会員番号登録処理部１０４とを有している。
【０１０９】
会員番号登録処理部１０４は、１又は複数の携帯用リーダライタ３に対応可能な会員番号を付与するための処理を行う。会員番号登録処理部１０４は、１個の非接触ＩＣチップ１５に対して１個の会員番号を付与することができる。会員番号登録処理部１０４は、ユーザからの会員申請を受け付けると、この会員申請に係るリーダライタＩＤと非接触ＩＣチップＩＤに対して会員番号が発行されていないことを確認したうえで、このリーダライタＩＤと非接触ＩＣチップＩＤとに関連付けられた固有の会員番号を付与する。
【０１１０】
図１３、１４を参照して、会員番号付与手順について説明する。
【０１１１】
図１３のメニュー画面１１１は、会員メニュー部１１２と、プロフィール交換部５３とを有している。
【０１１２】
会員メニュー部１１２は、メッセージ受信部５４と、ホームページプレビュー部５５と、ホームページ登録部５６と、マイ画像登録・削除部５７と、同報メール作成部５８と、会員情報登録部５９と、会員番号付与部１１３とを有している。
【０１１３】
会員番号付与部１１３は、ユーザがクリックすることにより、図１４の会員番号申請画面１２１を表示する。
【０１１４】
会員番号申請画面１２１は、会員情報入力部１２２と、登録ボタン１２３とを有している。
【０１１５】
会員情報入力部１２２は、会員番号の付与を求める者が、自身の身元を明らかにするためのものである。
【０１１６】
登録ボタン１２３は、会員情報入力部１２２に入力された情報をサーバ５の記憶部１８に格納するためのものである。
【０１１７】
会員番号付与手順について説明する。
【０１１８】
ユーザは、一対の親ＩＤを有する携帯用リーダライタ３と非接触ＩＣチップ１５との近距離無線通信により又は携帯端末４に固有のＵＲＬをブックマークとして使用することによりメニュー画面１１１を表示する。そして、ユーザは、会員番号付与部１１３をクリックする。これにより、会員番号申請画面１２１が表示される。ユーザは、会員番号申請画面１２１において会員情報入力部１２２に所定の事項を入力する。さらに、ユーザは、登録ボタン１２３を押す。これにより、会員情報入力部１２１に入力された事項は、サーバ１０２の会員番号登録処理部１０４の処理を経て記憶部１８に格納される。また同時に、会員番号登録処理部１０４は、この会員情報を受け取ると、このリーダライタＩＤ及び非接触ＩＣチップＩＤとに関連付けられた固有の会員番号を非接触ＩＣチップ１５に返信する。これにより、会員番号と一対の親ＩＤに係るリーダライタＩＤと非接触ＩＣチップＩＤとは関連付けられる。ユーザは、メニュー画面１１１のメッセージ受信部５４を介して会員番号を確認することができる。
【０１１９】
当該情報交換システム１０１は、かかる会員番号を有する非接触ＩＣチップ１５のＩＤを親ＩＤとし、この非接触ＩＣチップ１５と未登録の携帯用リーダライタ３とを近距離無線通信させることによって、この非接触ＩＣチップ１５と対をなす親ＩＤに係る１又は複数の携帯用リーダライタ３を登録することができる。
【０１２０】
当該情報交換システム１０１における非接触ＩＣチップ１５の登録手順について説明する。
【０１２１】
まず、会員番号を有する非接触ＩＣチップ１５と、この非接触ＩＣチップ１５と対をなす複数の携帯用リーダライタ３とが、親ＩＤを有する非接触ＩＣチップ１５及び親ＩＤを有する携帯用リーダライタ３としてサーバ１０２に登録されているものとする。
【０１２２】
サーバ１０２への登録を希望する非接触ＩＣチップ１５は、上記親ＩＤを有する携帯用リーダライタ３との近距離無線通信を行う。この近距離無線通信によって、この非接触ＩＣチップ１５が内蔵された携帯端末４は、表示部１１に携帯用リーダライタ３に係るプロフィール画面３１を表示する。ユーザは、このプロフィール画面３１において、受信者登録受付部３４をクリックする。ユーザは、かかる受信者登録受付部３をクリックすることによって表示される会員登録画面４１に必要事項を入力したうえで、登録ボタンを押す。これによって、サーバ１０２は、このリーダライタＩＤと非接触ＩＣチップＩＤとを登録情報と関連付けて記憶部１８に保存する。これを受けて、サーバ１０２は、携帯端末４に対して、この携帯端末４に固有のＵＲＬを返信する。ユーザは、このＵＲＬをブックマークとして使用する。
【０１２３】
当該情報交換システム１０１は、このように、新規登録される非接触ＩＣチップＩＤが会員登録されたＩＤに係る携帯用リーダライタ３と関連付けられてサーバ１０２に保存される。従って、当該情報交換システム１０２は、所定の資格を有する者に会員番号を付与して代理店とし、この代理店が有する携帯用リーダライタ３を介して非接触ＩＣチップ１５の新規登録を促すことにより、代理店を介して利用者を管理することができる。また、当該情報交換システム１０１は、会員番号を付与された代理店の管理状態を監視し、代理店に対して業績に見合った報酬等を付与することができる。
【０１２４】
図１５の情報交換システム１３１は、ネットワーク２と、携帯用リーダライタ３と、携帯端末１３２及び１３３と、サーバ１３４とを有している。以下の説明において、図１及び図１２の情報交換システム１、１０１と同様の構成については同一番号を付して適宜説明を省略する。
【０１２５】
携帯端末１３２は、通信部９と、入力部１０と、表示部１１と、制御部１３５と、記憶部１３とを有している。
【０１２６】
制御部１３５は、通信制御部１４と、非接触ＩＣチップ１５と、２次元コード読取部１３６とを有している。
【０１２７】
２次元コード読取部１３６は、２次元コードの画像又はそれを含む情報の画像を光学的に読み取る。また、２次元コード読取部１３６は、読み取った２次元コードを解析してそれが示す情報を抽出する。２次元コードとしては、一般的にはＱＲコードを使用することができる。
【０１２８】
サーバ１３４は、通信部１６と、制御部１３８と、記憶部１８とを有している。制御部１３８は、通信制御部１９と、プロフィール処理部２０と、プロフィール交換部２１と、メッセージ処理部２２と、コメント処理部２３と、会員番号登録処理部１０４と、２次元コード作成部１３９とを有している。
【０１２９】
２次元コード作成部１３９は、プロフィール画面３１等に表示されるユーザ情報を２次元コード化処理し、これらの画面に表示する。
【０１３０】
図１６を参照して、当該情報交換システム１３１におけるプロフィール画面について説明する。
【０１３１】
プロフィール画面１４１は、送信者表示部１４２と、送信者紹介部１４３と、２次元コード表示部１４４とを有している。
【０１３２】
２次元コード表示部１４４は、プロフィール登録画面７１から入力され、サーバ１３４の記憶部１８に保存されたユーザ情報を、２次元コード作成部によって２次元コード化処理して表示したものである。
【０１３３】
携帯端末１３２、１３３は、２次元コード読取部１３６によりかかる２次元コードを読み取ることで、他のユーザに係る情報を閲覧するとともにサーバ１３４に保存することができる。また、携帯端末１３２、１３３は、自らの情報を２次元コード化処理して他のユーザに送信することができる。
【０１３４】
なお、携帯端末１３３は、非接触ＩＣチップ１５を有しないので、携帯用リーダライタ３との間で近距離無線通信を行うことができない。それ故、携帯端末１３３は、携帯端末１３３に固有のＵＲＬをブックマークとして使用することにより、２次元コード会員登録画面（図示せず）における入力事項と関連付けられてサーバ１３４と接続されている。
【０１３５】
かかる会員登録手続について説明する。まず、携帯端末１３３は、２次元コード読取部１３６によって２次元コードを読み取り、他のユーザに係る情報を表示部１１に表示させる。表示部１１に表示される画面（図示せず）は、受信者登録受付部を有している。ユーザは、この受信者登録受付部をクリックすることによって所定のＵＲＬに空メールを送信する。そして、この空メール送信に対する返信メールに表示される所定のＵＲＬにアクセスし、パスワード等の必要事項を設定してサーバ１３４に送信する。かかる送信を受け、サーバ１３４は、この設定事項を登録し、携帯端末１３３に対し、この携帯端末１３３に固有のＵＲＬを返信する。ユーザは、このＵＲＬをブックマークとして使用し、設定したパスワードを入力してサーバ１３４にログイン要求する。サーバは１３４、このログイン要求を受けてログイン許可し、携帯端末１３３の表示部１１にメニュー画面（図示せず）を表示する。かかるメニュー画面を介して表示されるプロフィール登録画面において、ユーザは、自身のプロフィールを入力し、サーバ１３４に保存する。また、ユーザは、このメニュー画面に表示されるプロフィール交換部において２次元コードを読み取った携帯端末に係るユーザ情報を閲覧する。
【０１３６】
当該情報交換システム１３１は、２次元コード読み取り機能を有している携帯端末であれば、非接触ＩＣチップ１５が内蔵されていなくても利用することができる。
【０１３７】
なお、当該情報交換システムは、上記態様の他、種々の変更、改良を施した態様で実施することができる。例えば、メッセージの送受信機能は、プロフィールの送信者及び受信者のいずれからも送受信できるような態様でなくてもよく、プロフィールの受信者側からのみ送信できるような態様にしてもよい。このような態様によれば、プロフィールの送信者側から迷惑メール等が送信されるのを防止することができる。また、１つの非接触ＩＣチップに対応可能な携帯用リーダライタ数及び／又は１つの会員番号に対応可能な携帯用リーダライタ数を所定の数量に限定してもよい。これにより、ユーザ管理の容易性を高めることができる。さらに、携帯用リーダライタの保有者と非保有者においてサービス内容に差違を設けてもよい。加えて、当該情報交換システムは、上述した機能に加えて、掲示板機能、アンケート集計機能、予約機能、待ち時間表示機能、販売・Ｅコマース機能、抽選機能、動画メッセージ機能、ＱＲコードシール発行機能、勤怠管理機能等、種々の機能を追加することができるのは勿論である。
【産業上の利用可能性】
【０１３８】
以上のように、本発明の情報交換システムは、従来の紙名刺では必要とされた保管スペースを節約できるとともに、検索容易性、情報付加機能性、情報改変性にも優れており、複数人に対して同時に情報送信することもできるので、ビジネス及びプライベートの場で行う名刺交換や、店舗等から顧客に対して行うキャンペーン情報の提供、緊急時の身元確認等、様々な場における情報の授受に適している。
【符号の説明】
【０１３９】
１  情報交換システム
２  ネットワーク
３  携帯用リーダライタ
４  携帯端末
５  サーバ
６  通信部
７  通信制御部
８  記憶部
９  通信部
１０  入力部
１１  表示部
１２  制御部
１３  記憶部
１４  通信制御部
１５  非接触ＩＣチップ
１６  通信部
１７  制御部
１８  記憶部
１９  通信制御部
２０  プロフィール処理部
２１  プロフィール交換部
２２  メッセージ処理部
２３  コメント処理部
３１  プロフィール画面
３２  送信者表示部
３３  送信者紹介部
３４  受信者登録受付部
４１  会員登録画面
４２  会員情報入力部
４３  登録ボタン
５１  メニュー画面
５２  会員メニュー部
５３  プロフィール交換部
５４  メッセージ受信部
５５  ホームページプレビュー部
５６  ホームページ登録部
５７  マイ画像登録・削除部
５８  同報メール作成部
５９  会員情報登録部
６１  マイ画像登録画面
６２  マイ画像登録部
６３  マイ画像削除部
６４  マイ画像削除画面
６５  削除画像表示部
６６  削除画像選択部
６７  削除ボタン
７１  プロフィール登録画面
７２  デザインパターン選択部
７３  画像選択部
７４  文言設定部
７５  登録ボタン
８１  プロフィール画面
８２  送信者表示部
８３  送信者紹介部
８４  コメント表示部
８５  コメント編集部
９１  コメント編集画面
９２  送信者表示部
９３  送信者紹介部
９４  コメント作成部
９５  登録ボタン
１０１  情報交換システム
１０２  サーバ
１０３  制御部
１０４  会員番号登録処理部
１１１  メニュー画面
１１２  会員メニュー部
１１３  会員番号付与部
１２１  会員番号申請画面
１２２  会員情報入力部
１２３  登録ボタン
１３１  情報交換システム
１３２  携帯端末
１３３  携帯端末
１３４  サーバ
１３５  制御部
１３６  ２次元コード読取部
１３７  制御部
１３８  制御部
１３９  ２次元コード作成部
１４１  プロフィール画面
１４２  送信者表示部
１４３  送信者紹介部
１４４  ２次元コード表示部
【図１】
2011022636.tif 000003
【図２】
2011022636.tif 000004
【図３】
2011022636.tif 000005
【図４】
2011022636.tif 000006
【図５】
2011022636.tif 000007
【図６】
2011022636.tif 000008
【図７】
2011022636.tif 000009
【図８】
2011022636.tif 000010
【図９】
2011022636.tif 000011
【図１０】
2011022636.tif 000012
【図１１】
2011022636.tif 000013
【図１２】
2011022636.tif 000014
【図１３】
2011022636.tif 000015
【図１４】
2011022636.tif 000016
【図１５】
2011022636.tif 000017
【図１６】
2011022636.tif 000018
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
携帯端末に内蔵される非接触ＩＣチップと近距離無線通信を行うことのできる携帯用リーダライタと、
この携帯端末と通信ネットワークで接続されるサーバと
を備える情報交換システムにおいて、
上記携帯用リーダライタが、
非接触ＩＣチップとの近距離無線通信によりこの非接触ＩＣチップＩＤを受信する非接触ＩＣチップ受信手段と、
受信した非接触ＩＣチップＩＤ及びリーダライタＩＤを関連付けて非接触ＩＣチップに送信するＩＣチップ送信手段とを有し、
上記サーバが、
関連付けられた上記リーダライタＩＤ及び非接触ＩＣチップＩＤを携帯端末から受信するＩＤ受信手段と、
上記非接触ＩＣチップＩＤ及びリーダライタＩＤの初回受信時にこれらのＩＤを親ＩＤとして登録する親ＩＤ登録手段と、
上記親ＩＤ登録手段に親ＩＤとして対をなして登録されたリーダライタＩＤ及び非接触ＩＣチップＩＤを受信した場合に、この携帯端末にメニュー画面を表示させる第一のメニュー画面表示手段と、
このメニュー画面を介して表示されるプロフィール登録画面における入力及び送信操作に起因して、携帯端末から受信したプロフィール情報を、上記親ＩＤ登録手段に対をなして登録されたリーダライタＩＤ及び非接触ＩＣチップＩＤに関連付けて保存する第一の情報保存手段と、
上記親ＩＤ登録手段に親ＩＤとして登録されているリーダライタＩＤと、このリーダライタＩＤが親として登録されていない非接触ＩＣチップＩＤとを受信した場合に、この携帯端末にこのリーダライタＩＤに関連付けられているプロフィール情報を表示させる第一の情報表示手段と
を有する情報交換システム。
【請求項２】
上記サーバが、
上記メニュー画面を介して表示されるプロフィール登録画面における入力及び送信操作に起因して、プロフィール情報を変更し上書き保存する情報変更手段を有する請求項１に記載の情報交換システム。
【請求項３】
上記サーバが、
親ＩＤ登録手段に親ＩＤとして登録された非接触ＩＣチップＩＤと、この非接触ＩＣチップＩＤ以外の非接触ＩＣチップＩＤが親ＩＤ登録手段に対をなして登録されたリーダライタＩＤとを受信した場合、
受信したこのリーダライタＩＤを子ＩＤとして関連付けて登録する第一の子ＩＤ登録手段と、
上記メニュー画面における選択及び送信操作に起因して、子ＩＤとして登録されているリーダライタＩＤに関連付けられているプロフィール情報を閲覧させる第一の情報閲覧手段とを有する請求項１又は請求項２に記載の情報交換システム。
【請求項４】
上記サーバが、
登録されたリーダライタＩＤと未登録の非接触ＩＣチップＩＤとを受信することによりこの非接触ＩＣチップを有する携帯端末にこのリーダライタＩＤに関連付けられているプロフィール情報を表示させ、これによって表示される画面を介して、この非接触ＩＣチップＩＤを親ＩＤとして登録する第二の親ＩＤ登録手段と、
この非接触ＩＣチップＩＤと共に受信したリーダライタＩＤを、この非接触ＩＣチップＩＤと関連付けて登録するリーダライタＩＤ登録手段と、
この非接触ＩＣチップを有する携帯端末からのパスワードを受信して、この携帯端末からの利用を許可するログイン手段と、
上記ログイン手段によって利用が許可された携帯端末に、メニュー画面を表示させる第二のメニュー画面表示手段と、
このメニュー画面を介して表示されるプロフィール登録画面における入力及び送信操作に起因して、携帯端末から受信したプロフィール情報を保存する第二の情報保存手段と、
このメニュー画面における選択及び送信操作に起因して、上記リーダライタＩＤ登録手段によってこの非接触ＩＣチップと関連付けられて登録されているリーダライタＩＤに関連付けられているプロフィール情報を閲覧させる第二の情報閲覧手段とを有する請求項１、請求項２又は請求項３に記載の情報交換システム。
【請求項５】
上記サーバが、
上記第二の親ＩＤ登録手段によって登録されている非接触ＩＣチップＩＤ及び未登録のリーダライタＩＤを受信した場合に、このリーダライタＩＤを親ＩＤとして登録する第三の親ＩＤ登録手段と、
上記リーダライタＩＤ登録手段によって登録されているリーダライタＩＤを、上記第三の親ＩＤ登録後に子ＩＤとして登録する第二の子ＩＤ登録手段と
を有する請求項４に記載の情報交換システム。
【請求項６】
上記サーバが、
１又は複数の携帯用リーダライタに対応することのできる会員番号を付与する会員番号付与手段と、
この会員番号とリーダライタＩＤとを非接触ＩＣチップＩＤに関連付けて登録する第四の親ＩＤ登録手段と、
会員番号と関連付けられたこのリーダライタＩＤ及び未登録の非接触ＩＣチップＩＤを受信した場合に、この非接触ＩＣチップＩＤを有する携帯端末にこのリーダライタＩＤに関連付けられているプロフィール情報を表示させ、これによって表示される画面を介して、この非接触ＩＣチップＩＤを親ＩＤとして登録する第五の親ＩＤ登録手段とを有する請求項１から請求項５のいずれか１項に記載の情報交換システム。
【請求項７】
上記サーバが、
親ＩＤ登録手段に親ＩＤとして登録されたリーダライタＩＤと、このリーダライタＩＤが親として登録されていない非接触ＩＣチップＩＤとが関連付けられて登録されている場合に、
上記リーダライタＩＤと親ＩＤ登録手段に対をなして登録された非接触ＩＣチップＩＤを有する携帯端末に、上記親として登録されていない非接触ＩＣチップＩＤに関連付けられているユーザのニックネームを表示する第二の情報表示手段を有する請求項１から請求項６のいずれか１項に記載の情報交換システム。
【請求項８】
上記サーバが、
親ＩＤに係るユーザと、この親ＩＤと関連付けられて登録されている親以外のリーダライタＩＤ及び／又は親以外の非接触ＩＣチップＩＤに係るユーザとのメッセージ送受信手段を有する請求項１から請求項７のいずれか１項に記載の情報交換システム。
【請求項９】
上記サーバが、
メニュー画面を介して表示されるプロフィール画面に２次元コードを表示する２次元コード表示手段と、
この２次元コードを読み取った携帯端末に、この読取りによって表示されるプロフィール画面を介してパスワードの設定を行わせるパスワード設定手段と、
このパスワードの受信を経てこの携帯端末にメニュー画面を表示させる第三のメニュー画面表示手段と、
このメニュー画面を介して表示されるプロフィール登録画面における入力及び送信操作に起因して、携帯端末から受信したプロフィール情報を保存する第三の情報保存手段と、
このメニュー画面における選択及び送信操作に起因して、２次元コードを読み取った携帯端末に関連付けられているプロフィール情報を閲覧させる第三の情報閲覧手段とを有する請求項１から請求項８のいずれか１項に記載の情報交換システム。
【請求項１０】
上記サーバが、
送信者のプロフィール情報を受信者側において追加させることのできるコメント追加手段を有する請求項１から請求項９のいずれか１項に記載の情報交換システム。
【手続補正２】
【補正対象書類名】明細書
【補正対象項目名】００１１
【補正方法】変更
【補正の内容】
【００１１】
上記課題を解決するためになされた発明は、
携帯端末に内蔵される非接触ＩＣチップと近距離無線通信を行うことのできる携帯用リーダライタと、
この携帯端末と通信ネットワークで接続されるサーバと
を備える情報交換システムにおいて、
上記携帯用リーダライタが、
非接触ＩＣチップとの近距離無線通信によりこの非接触ＩＣチップＩＤを受信する非接触ＩＣチップ受信手段と、
受信した非接触ＩＣチップＩＤ及びリーダライタＩＤを関連付けて非接触ＩＣチップに送信するＩＣチップ送信手段とを有し、
上記サーバが、
関連付けられた上記リーダライタＩＤ及び非接触ＩＣチップＩＤを携帯端末から受信するＩＤ受信手段と、
上記非接触ＩＣチップＩＤ及びリーダライタＩＤの初回受信時にこれらのＩＤを親ＩＤとして登録する親ＩＤ登録手段と、
上記親ＩＤ登録手段に親ＩＤとして対をなして登録されたリーダライタＩＤ及び非接触ＩＣチップＩＤを受信した場合に、この携帯端末にメニュー画面を表示させる第一のメニュー画面表示手段と、
このメニュー画面を介して表示されるプロフィール登録画面における入力及び送信操作に起因して、携帯端末から受信したプロフィール情報を、上記親ＩＤ登録手段に対をなして登録されたリーダライタＩＤ及び非接触ＩＣチップＩＤに関連付けて保存する第一の情報保存手段と、
上記親ＩＤ登録手段に親ＩＤとして登録されているリーダライタＩＤと、このリーダライタＩＤが親として登録されていない非接触ＩＣチップＩＤとを受信した場合に、この携帯端末にこのリーダライタＩＤに関連付けられているプロフィール情報を表示させる第一の情報表示手段と
を有する情報交換システムである。
【手続補正３】
【補正対象書類名】明細書
【補正対象項目名】００１２
【補正方法】変更
【補正の内容】
【００１２】
当該情報交換システムは、一対の親ＩＤに係るリーダライタＩＤと非接触ＩＣチップＩＤとによってサーバに接続することで、この携帯端末にメニュー画面を表示させる。当該情報通信システムは、このメニュー画面を介して表示されるプロフィール登録画面からユーザ情報を入力し、このユーザ情報をサーバに保存することができる。さらに、当該情報交換システムは、サーバが、親ＩＤに係るリーダライタＩＤと親以外の非接触ＩＣチップＩＤとを受信した場合に、親以外の非接触ＩＣチップＩＤに係る携帯端末に、親ＩＤと関連付けてサーバに登録されているプロフィール情報を表示させることができる。従って、当該情報交換システムは、親ＩＤを有するリーダライタを所持しておくことで、いつでも自分のプロフィール等の情報を相手に伝えることができる。その結果、当該情報交換システムは、情報の送信者側において名刺等を所持する必要がなく、保管スペースが削減できるとともに、名刺切れによって情報を伝達できなくなることもない。また、当該情報交換システムは、名刺を増刷する必要がないので、コストを削減することができる。さらに、当該情報交換システムは、一対の親ＩＤがサーバに送信されることにより携帯端末にメニュー画面を表示するものであるから、携帯用リーダライタを拾得した第三者が、この携帯用リーダライタと自分の携帯端末とによって近距離無線通信を行ってもメニュー画面は表示されない。それ故、当該情報交換システムは、極めて高いセキュリティ性を有している。
【手続補正４】
【補正対象書類名】明細書
【補正対象項目名】００１３
【補正方法】変更
【補正の内容】
【００１３】
上記サーバが、上記メニュー画面を介して表示されるプロフィール登録画面における入力及び送信操作に起因して、プロフィール情報を変更し上書き保存する情報変更手段を有するとよい。これにより、情報の送信者側において、情報送信時の保存内容が現在の状況に反している場合には、この情報を容易に変更することができ、かつリアルタイムで受信者側に伝達することができる。
【手続補正５】
【補正対象書類名】明細書
【補正対象項目名】００１４
【補正方法】変更
【補正の内容】
【００１４】
上記サーバが、親ＩＤ登録手段に親ＩＤとして登録された非接触ＩＣチップＩＤと、この非接触ＩＣチップＩＤ以外の非接触ＩＣチップＩＤが親ＩＤ登録手段に対をなして登録されたリーダライタＩＤとを受信した場合、受信したこのリーダライタＩＤを子ＩＤとして関連付けて登録する第一の子ＩＤ登録手段と、上記メニュー画面における選択及び送信操作に起因して、子ＩＤとして登録されているリーダライタＩＤに関連付けられているプロフィール情報を閲覧させる第一の情報閲覧手段とを有するとよい。これにより、親以外に係るリーダライタと親ＩＤを有する非接触ＩＣチップとの間で近距離無線通信を行うことにより、この非接触ＩＣチップを内蔵する携帯端末に、親以外のリーダライタＩＤに係るユーザ情報を表示することができる。また、メニュー画面における操作によって、このリーダライタＩＤに係るプロフィール情報を任意に閲覧することができる。従って、情報の受信者側においても、親ＩＤに係る一対の携帯用リーダライタと非接触ＩＣチップを内蔵する携帯端末とを有していれば所望の送信者の情報を閲覧することができる。その結果、当該情報交換システムは、受信者側においても携帯用リーダライタと携帯端末とを保持していれば足りるので、著しく保管スペースを節約することができる。また、当該情報交換システムは、メニュー画面における選択により、情報を閲覧したい所望の送信者を容易に検索することができるので、送信者数の増加に拘わらず、極めて効率の高い検索機能を有している。
【手続補正６】
【補正対象書類名】明細書
【補正対象項目名】００１５
【補正方法】変更
【補正の内容】
【００１５】
上記サーバが、登録されたリーダライタＩＤと未登録の非接触ＩＣチップＩＤとを受信することによりこの非接触ＩＣチップを有する携帯端末にこのリーダライタＩＤに関連付けられているプロフィール情報を表示させ、これによって表示される画面を介して、この非接触ＩＣチップＩＤを親ＩＤとして登録する第二の親ＩＤ登録手段と、この非接触ＩＣチップＩＤと共に受信したリーダライタＩＤを、この非接触ＩＣチップＩＤと関連付けて登録するリーダライタＩＤ登録手段と、この非接触ＩＣチップを有する携帯端末からのパスワードを受信して、この携帯端末からの利用を許可するログイン手段と、上記ログイン手段によって利用が許可された携帯端末に、メニュー画面を表示させる第二のメニュー画面表示手段と、このメニュー画面を介して表示されるプロフィール登録画面における入力及び送信操作に起因して、携帯端末から受信したプロフィール情報を保存する第二の情報保存手段と、このメニュー画面における選択及び送信操作に起因して、上記リーダライタＩＤ登録手段によってこの非接触ＩＣチップと関連付けられて登録されているリーダライタＩＤに関連付けられているプロフィール情報を閲覧させる第二の情報閲覧手段とを有するとよい。これにより、受信者が親ＩＤを有する携帯用リーダライタを所持しない場合でも、当該情報交換システムを利用することができる。
【手続補正７】
【補正対象書類名】明細書
【補正対象項目名】００１７
【補正方法】変更
【補正の内容】
【００１７】
上記サーバが、１又は複数の携帯用リーダライタに対応することのできる会員番号を付与する会員番号付与手段と、この会員番号とリーダライタＩＤとを非接触ＩＣチップＩＤに関連付けて登録する第四の親ＩＤ登録手段と、会員番号と関連付けられたこのリーダライタＩＤ及び未登録の非接触ＩＣチップＩＤを受信した場合に、この非接触ＩＣチップＩＤを有する携帯端末にこのリーダライタＩＤに関連付けられているプロフィール情報を表示させ、これによって表示される画面を介して、この非接触ＩＣチップＩＤを親ＩＤとして登録する第五の親ＩＤ登録手段とを有するとよい。これにより、所定の資格を有する者に会員番号を付与し、かかる会員番号を付与された者を介して当該情報交換システムの利用者を管理することができる。また、会員番号を付与された者の管理状況等を監視し、報酬等を付与することができる。
【手続補正８】
【補正対象書類名】明細書
【補正対象項目名】００１８
【補正方法】変更
【補正の内容】
【００１８】
上記サーバが、親ＩＤ登録手段に親ＩＤとして登録されたリーダライタＩＤと、このリーダライタＩＤが親として登録されていない非接触ＩＣチップＩＤとが関連付けられて登録されている場合に、上記リーダライタＩＤと親ＩＤ登録手段に対をなして登録された非接触ＩＣチップＩＤを有する携帯端末に、上記親として登録されていない非接触ＩＣチップＩＤに関連付けられているユーザのニックネームを表示する第二の情報表示手段を有するとよい。これにより、誰に対して情報を送信したかを容易に確認することができる。
【手続補正９】
【補正対象書類名】明細書
【補正対象項目名】００２０
【補正方法】変更
【補正の内容】
【００２０】
上記サーバが、メニュー画面を介して表示されるプロフィール画面に２次元コードを表示する２次元コード表示手段と、この２次元コードを読み取った携帯端末に、この読取りによって表示されるプロフィール画面を介してパスワードの設定を行わせるパスワード設定手段と、このパスワードの受信を経てこの携帯端末にメニュー画面を表示させる第三のメニュー画面表示手段と、このメニュー画面を介して表示されるプロフィール登録画面における入力及び送信操作に起因して、携帯端末から受信したプロフィール情報を保存する第三の情報保存手段と、このメニュー画面における選択及び送信操作に起因して、２次元コードを読み取った携帯端末に関連付けられているプロフィール情報を閲覧させる第三の情報閲覧手段とを有するとよい。これにより、２次元コード読み取り機能を有している携帯端末であれば、非接触ＩＣチップが内蔵されていなくても、当該情報交換システムを利用することができる。
【手続補正１０】
【補正対象書類名】明細書
【補正対象項目名】００２１
【補正方法】変更
【補正の内容】
【００２１】
上記サーバが、送信者のプロフィール情報を受信者側において追加させることのできるコメント追加手段を有するとよい。これにより、情報の受信側において、所望の情報を任意に付加することができる。
【手続補正１１】
【補正対象書類名】明細書
【補正対象項目名】００４３
【補正方法】変更
【補正の内容】
【００４３】
通信制御部１９は、携帯端末４とサーバ５とのネットワーク通信の制御を行う。通信制御部１９は、暗号処理部（図示せず）を有している。暗号処理部は、携帯端末４から送信される暗号化されたリーダライタＩＤと暗号化された非接触ＩＣチップＩＤとを復号化する。暗号処理部は、これらの復号化したＩＤと、事前に記憶部１８に記憶されているリーダライタＩＤ及び非接触ＩＣチップＩＤとを照合する。暗号処理部は、この照合結果を携帯端末４に送信する。
【手続補正１２】
【補正対象書類名】明細書
【補正対象項目名】００４８
【補正方法】変更
【補正の内容】
【００４８】
記憶部１８は、通信制御部１９、プロフィール処理部２０、プロフィール交換部２１、メッセージ処理部２２、コメント処理部２３等が実行する動作プログラムや、この動作プログラムの処理に必要となるデータ等を記憶する。記憶部１８は、リーダライタＩＤと非接触ＩＣチップＩＤとを格納している。また、記憶部１８は、暗号化されたリーダライタＩＤ及び暗号化された非接触ＩＣチップＩＤを復号化するための復号鍵を格納している。
【手続補正１３】
【補正対象書類名】明細書
【補正対象項目名】００５０
【補正方法】変更
【補正の内容】
【００５０】
まず、携帯用リーダライタ３は、ユーザが送信スイッチを押することによって携帯端末４の有する非接触ＩＣチップ１５と近距離無線通信を行う。これにより、携帯用リーダライタ３は、携帯端末４から非接触ＩＣチップＩＤを受信する。そして、携帯用リーダライタ３は、記憶部８に格納されているリーダライタＩＤ及び受信した非接触ＩＣチップＩＤを通信制御部７により暗号化したうえで、携帯端末４に送信する。携帯用リーダライタ３は、これらの暗号化されたＩＤとともに、記憶部８に保存されているサーバ５の特定のページに接続するためのＵＲＬを携帯端末４に送信する。携帯端末４の非接触ＩＣチップ１５は、この暗号化されたリーダライタＩＤと暗号化された非接触ＩＣチップＩＤ及びサーバ５の特定のページに接続するためのＵＲＬを受信する。非接触ＩＣチップ１５は、携帯端末４のブラウザを立ち上げ、携帯用リーダライタ３に設定されたサーバ５に係る所定の接続ＵＲＬ及び暗号化したリーダライタＩＤと暗号化された非接触ＩＣチップＩＤとを表示してサーバ５に接続する。サーバ５は、これらの暗号化されたＩＤを復号化して、認証結果を携帯端末４に送信する。携帯端末４は、この認証結果を受けて、この携帯用リーダライタ３に設定された特定のページへのログイン要求を行う。これに対し、サーバ５は、ログイン許可を行う。
【手続補正１４】
【補正対象書類名】明細書
【補正対象項目名】００６１
【補正方法】変更
【補正の内容】
【００６１】
まず、携帯用リーダライタ３と非接触ＩＣチップ１５との間で近距離無線通信を行い、非接触ＩＣチップＩＤを携帯用リーダライタ３に送信する（ＳＴＰ１）。次に、携帯用リーダライタ３は、リーダライタＩＤと受信した非接触ＩＣチップＩＤとを暗号化し、携帯用リーダライタ３に設定されたサーバ５の特定ページへの接続ＵＲＬとともに非接触ＩＣチップ１５に送信する（ＳＴＰ２）。続いて、非接触ＩＣチップ１５は、携帯端末４のブラウザを立ち上げ、携帯用リーダライタ３に設定されたサーバ５に係る所定の接続ＵＲＬ及び暗号化したリーダライタＩＤと暗号化した非接触ＩＣチップＩＤとを表示してサーバ５に接続する（ＳＴＰ３）。サーバ５は、これらのＩＤを受信して復号化したうえで、このリーダライタＩＤが既にサーバ５に登録されているか否かを判断する（ＳＴＰ４）。ＳＴＰ４において、リーダライタＩＤが既に登録されている場合はＳＴＰ５に進む。ＳＴＰ５では、このリーダライタＩＤとともに送信された非接触ＩＣチップＩＤがサーバ５に登録されているかが判断される。ここで、非接触ＩＣチップＩＤがサーバ５に登録されている場合は、この非接触ＩＣチップＩＤに対して、リーダライタＩＤが親に係るリーダライタＩＤとして登録されているかが判断される（ＳＴＰ６）。リーダライタＩＤが親として登録されている場合は、このリーダライタＩＤに係るメニュー画面を携帯端末４の表示部１１に表示する（ＳＴＰ７）。一方、ＳＴＰ６において、リーダライタＩＤが親として登録されていない場合は、このリーダライタＩＤが、共に送信された非接触ＩＣチップＩＤとの関係における子ＩＤとしてサーバ５に登録されているかが判断される（ＳＴＰ８）。そして、子ＩＤとして既に登録されている場合は、このリーダライタＩＤに係るプロフィール画面を携帯端末４の表示部１１に表示する（ＳＴＰ９）。また、子ＩＤとして登録されていない場合は、ＳＴＰ１０において、リーダライタＩＤを子ＩＤとして非接触ＩＣチップＩＤと関連付けてサーバ５に登録したうえで、リーダライタＩＤに係るプロフィール画面を表示する（ＳＴＰ９）。
【手続補正１５】
【補正対象書類名】明細書
【補正対象項目名】０１０２
【補正方法】変更
【補正の内容】
【０１０２】
当該情報交換システム１は、一対の親ＩＤに係るリーダライタＩＤと非接触ＩＣチップＩＤとによってサーバ５に接続することで、この携帯端末４にメニュー画面５１を表示させる。当該情報通信システム１は、このメニュー画面５１を介して表示されるプロフィール登録画面７１からユーザ情報を入力し、このユーザ情報をサーバ５に保存することができる。さらに、当該情報交換システム１は、サーバ５が、親ＩＤに係るリーダライタＩＤと親以外の非接触ＩＣチップＩＤとを受信した場合に、親以外の非接触ＩＣチップＩＤに係る携帯端末４に、親ＩＤと関連付けてサーバ５に登録されているユーザ情報を表示させることができる。従って、当該情報交換システム１は、親ＩＤを有するリーダライタ３を所持しておくことで、いつでも自分のプロフィール等の情報を相手に伝えることができる。その結果、当該情報交換システム１は、情報の送信者側において名刺等を所持する必要がなく、保管スペースが削減できるとともに、名刺切れによって情報を伝達できなくなることもない。また、当該情報交換システム１は、名刺を増刷する必要がないので、コストを削減することができる。さらに、当該情報交換システム１は、一対の親ＩＤがサーバ５に送信されることにより携帯端末４にメニュー画面５１を表示するものであるから、携帯用リーダライタ３を拾得した第三者が、この携帯用リーダライタ３と自分の携帯端末４とによって近距離無線通信を行ってもメニュー画面５１は表示されない。それ故、当該情報交換システム１は、極めて高いセキュリティ性を有している。